(57)【特許請求の範囲】
【請求項１】
燃料電池スタックを含む燃料電池装置の停止運転の方法であって、
順次に、
（ｉ）前記燃料電池スタックへの燃料の供給を停止するステップと、
（ｉｉ）前記燃料電池スタックを通り抜ける陰極流路を含む前記燃料電池装置の陰極システムと連通する排出路上の閉塞バルブを閉じるステップと、
（ｉｉｉ）前記燃料電池スタック内の陰極空気流入口と連通する空気圧縮装置により前記陰極システムを加圧するステップと、
（ｉｖ）前記燃料電池スタック内の陰極注水口と連通する陰極注水路を通じて、前記陰極流路から水を排出するステップとを含む運転方法。
【請求項２】
請求項１に記載された方法であって、
前記ステップ（ｉｖ）は、水分離器と、熱交換器と、水帰還路とのうちの１つ、またはそれより多くを通じて、前記陰極流路から水を排出する運転方法。
【請求項３】
請求項２に記載された方法であって、
水を、前記陰極流路から耐熱性容器へと排出する運転方法。
【請求項４】
請求項３に記載された方法であって、
水を、前記陰極流路の排出路にある前記水分離器を通して前記容器の中へと排出する運転方法。
【請求項５】
請求項３または４に記載された方法であって、
前記容器は、真空で耐熱化された瓶である運転方法。
【請求項６】
請求項３乃至５の何れかに記載された方法であって、
前記容器は、前記容器から前記燃料電池スタック内の注水口へと水を供給するように構成されたポンプを含む運転方法。
【請求項７】
請求項６に記載された方法であって、
前記ポンプのポンプヘッドは、前記容器内の水に浸されている運転方法。
【請求項８】
請求項７に記載された方法であって、
前記ポンプのモータ部分は、前記容器の貯水容積の外に配置されており、
前記モータ部分は、駆動軸により前記ポンプヘッドと接続されている運転方法。
【請求項９】
請求項４に記載された方法であって、
前記排出路の中と、前記燃料電池スタックと前記容器の間の前記注水路の中と、にある実質的に全部の水を前記容器へと排出するまで、前記空気圧縮装置を運転する運転方法。
【請求項１０】
請求項３乃至９の何れかに記載された方法であって、
続いて、
（ｖ）温度制御された加熱要素の手段により、前記容器内の水を予め設定された温度より高く維持するステップをさらに含む運転方法。
【請求項１１】
請求項１０に記載された方法であって、
前記温度制御された加熱要素を、前記閉塞バルブを閉じた後、予め設定された時間、機能停止させる運転方法。
【請求項１２】
請求項３乃至１１の何れかに記載された方法であって、
前記容器は、前記燃料電池装置が停止した後、前記容器内の水を解凍するように構成された加熱器を含む運転方法。
【請求項１３】
請求項３乃至１２の何れかに記載された方法であって、
水を、前記熱交換器と前記水分離器の両方を通して、前記容器へと排出する運転方法。
【請求項１４】
請求項２に記載された方法であって、
水を、前記水分離器を通して前記容器へと流す前に、前記熱交換器を通して前記陰極流路から排出する運転方法。
【請求項１５】
請求項１乃至１４の何れかに記載された方法であって、
前記空気圧縮装置を、前記閉塞バルブを閉じた後、予め設定された時間、運転する運転方法。
【請求項１６】
請求項１乃至１４の何れかに記載された方法であって、
前記空気圧縮装置を、前記陰極流路内の水が予め定められた水位に到達するまで運転する運転方法。
【請求項１７】
燃料電池スタックと、陰極システムと、空気圧縮装置と、断熱された容器と含む燃料電池装置であって、
前記陰極システムは、陰極流路を有しており、
前記陰極流路は、直列接続された、陰極空気流入路と、前記燃料電池スタック内の陰極部と、陰極出口流路とを含み、前記燃料電池スタックに空気を通すように構成されており、
前記陰極出口流路は、閉塞バルブを有しており、
前記空気圧縮装置は、前記陰極空気流入路と連通しており、
前記容器は、前記陰極流路から水帰還路を通じて水を受け、陰極注水路を通じて、前記燃料電池スタック内の陰極注水口に水を供給するように構成されており、
前記装置の運転が停止すると、水を、前記陰極流路から前記陰極注水路を通して前記容器へと排出するように構成されている燃料電池装置。
【請求項１８】
請求項１７に記載された燃料電池装置であって、
前記容器は、前記燃料電池スタック内の陰極注水口を含む注水路と流路が接続されており、
前記注水路は、水が前記燃料電池スタックの前記陰極部から前記容器の中へと流れるように構成されている燃料電池装置。
【請求項１９】
請求項１８に記載された燃料電池装置であって、
前記注水路は、逆流防止バルブを含んでおり、
前記逆流防止バルブは、前記バルブにわたる圧力差が、前記燃料電池装置の運転中のものから逆転したときに、水を前記陰極流路から前記容器へと流すように構成されている燃料電池装置。
【請求項２０】
請求項１７に記載された燃料電池装置であって、熱交換器を含んでおり、
前記熱交換器は、水分離器と直列接続され、前記陰極流路の前記陰極出口流路と接続されており、
前記水分離器の排水口流路は、第１の水帰還路によって保水容器に接続されている燃料電池装置。
【請求項２１】
請求項２０に記載された燃料電池装置であって、
前記熱交換器の排水口は、第２の水帰還路によって前記保水容器と接続されている燃料電池装置。
【請求項２２】
請求項２１に記載された燃料電池装置であって、
前記第１及び第２の水帰還路の各々に水ポンプを含む燃料電池装置。
【発明の詳細な説明】
【技術分野】
【０００１】
本発明は、燃料電池装置の運転、及び燃料電池装置に関連する装置に関する。排他的ではないが、とりわけ、燃料電池装置の停止運転の方策に関する。
【背景技術】
【０００２】
水は、燃料電池装置（a fuel cell system）の運転、例えば、ここで述べられる、陽子交換膜（ＰＥＭ）の周りにとりつく燃料電池スタック（a fuel cell stack）を含む燃料電池装置の形態においては必須である。陽極流路からＰＥＭを通って導かれる陽子（水素イオン）は、陰極流路にある酸素との化学反応によって、水を生成する。過剰な水は、覆水（flooding）とその結果として生ずる性能低下を避けるために、燃料電池スタックから除去される必要がある。しかしながら、燃料電池の最適な性能を達成するように、ある量の水は、ＰＥＭの水和を維持するために、少なくとも陰極流路にある必要がある。この水の管理は、慎重な注入と除去により、燃料電池スタックから過剰な熱を除去するために有益なメカニズムももたらす。
【０００３】
性能を最適化するため、そのような燃料電池装置では、水は、スタックの陰極流路への注入を通じて慎重に使用され得る。そのような注水をする燃料電池装置は、分離冷却溝（separate cooling channels）を使用する他の形式の燃料電池と比較すると、大きさと複雑さとを減少させる潜在的な利点がある。水は、特許文献１に例示されるように、水分配マニホルド（water distribution manifolds）を通して陰極流路に直接的に注入される。
【０００４】
注水装置は、ＰＥＭの汚濁とその結果として生ずるスタック性能の劣化を避けるために、陰極流路に戻す水が高純度であることが重要である。しかしながら、この高純度の要求は、水の氷点を低下させる添加物を使用することができないことを意味する。とりわけ、自動車のアプリケーションにおいて、典型的な要求には、氷結下からの始動が含まれている。燃料電池が実際に使用されうる環境を再現すると、これは、典型的には−２０℃もの低温である。高純度の水が（１バールの圧力において）０℃の氷点を有しているから、燃料電池装置に残された水は、十分な時間を経れば、燃料電池の停止（shut-down）後に凍結する。
【０００５】
燃料電池装置、とりわけ陰極流路内の氷は、スタックの正常運転の妨げ、あるいは運転自体の妨げとさえなりうる。もし、陰極流路の一部でも氷により閉ざされたら、陰極に空気を通すことができず、燃料電池は、氷点より高く自己加熱することができない。そのため、スタック全体を加熱する他の方法が必要となり、これは、燃料電池が電力供給を開始して自己加熱する前に、外部電力の消費を必要とする。
【０００６】
燃料電池スタックの停止時には、特許文献２に記載されているように、浄化運転がなされる。この文献には、陰極流路から分離した水冷却路を有する燃料電池スタックが開示されている。スタックの温度が氷点より下がってしまう前に、加圧された乾燥窒素の供給によって、スタックからの水は浄化される。しかしながら、この方法は、自動車の環境下で、使用不可能、または望ましくもない加圧窒素の供給を必要とする。
【先行技術文献】
【特許文献】
【０００７】
【特許文献１】英国特許出願公開第２４０９７６３号明細書
【特許文献２】米国特許第６４７９１７７号明細書
【発明の概要】
【発明が解決しようとする課題】
【０００８】
本発明の課題は、上述した問題のうち、１つ、またはそれより多くを解決することである。
【課題を解決するための手段】
【０００９】
第１の態様に係る発明は、燃料電池スタックを含む燃料電池装置の停止運転の方法を提供する。前記方法は、以下の順次のステップを含む。
【００１０】
（ｉ）前記燃料電池スタックへの燃料の供給を停止する。
（ｉｉ）前記燃料電池装置の陰極システム（a cathode system）と連通する(fluid communication)排出路上の閉塞バルブを閉じる。前記陰極システムは、前記燃料電池スタックを通り抜ける陰極流路を含む。
（ｉｉｉ）前記燃料電池スタック内の陰極空気流入口（a cathode air inlet port）と連通する空気圧縮装置により前記陰極システムを加圧する。
（ｉｖ）前記陰極流路から水を排出する。
【００１１】
第２の態様に係る発明は、燃料電池スタックと、陰極システム（a cathode system）と、空気圧縮装置と、断熱された容器（a thermally insulated containment vessel）とを含む燃料電池装置を提供する。
【００１２】
前記陰極システムは、陰極流路を有しており、前記陰極流路は、直列接続された、陰極空気流入路と、前記燃料電池スタック内の陰極部（a cathode volume）と、陰極出口流路（a cathode exit line）とを含み、前記燃料電池スタックに空気を通すように構成されている。
【００１３】
前記空気圧縮装置は、前記陰極空気流入路と連通している。
【００１４】
前記容器は、前記陰極流路から水帰還路（a water return line）を通じて水を受けるように構成されている。
【００１５】
ここで、前記燃料電池装置は、前記装置の運転が停止すると、水を、前記陰極流路から前記水帰還路を通して前記容器へと排出するように構成されている。
【００１６】
第３の態様に係る発明は、第１の供給口と、第２の供給口と、逆流止め弁と、バイパス流路と、封止弁とを含む逆流防止バルブを提供する。
【００１７】
前記逆流止め弁は、前記第１の供給口と前記第２の供給口とを結ぶ主流路内にあって、流体を前記第１の供給口から前記第２の供給口へと流し、その逆方向への流体の流れを防ぐように構成されている。
【００１８】
前記バイパス流路は、前記主流路と連通している。
【００１９】
前記封止弁は、前記バイパス路と浄化口の間において前記バイパス路の端部を圧迫している。
【００２０】
ここで、前記封止弁は、前記第１の供給口における流圧が前記第２の供給口における流圧を超えたとき、前記バイパス路の封止を維持することにより、前記主流路から前記バイパス流路を通って前記浄化口へと至る流れを妨げて、前記第２の供給口における流圧が前記第１の供給口における流圧を超えたとき、前記第２の供給口から前記バイパス流路を通って前記浄化口へと至る流れを許容するように構成されている。
【００２１】
第４の態様に係る発明は、燃料電池スタックと、陰極システムと、熱交換器とを含む燃料電池装置を提供する。
【００２２】
前記陰極システムは、陰極流路を有しており、前記陰極流路は、直列接続された、陰極空気流入路と、前記燃料電池スタック内の陰極部と、陰極出口流路とを含み、前記燃料電池スタックに空気を通すように構成されている。
【００２３】
前記熱交換器は、水分離器と直列接続され、前記陰極流路の前記陰極出口流路と接続されている。
【００２４】
ここで、前記水分離器の水排出口流路は、第１の水帰還路によって保水容器に接続されている。
【発明の効果】
【００２５】
以上述べたように、本発明によれば、上述した問題のうち、１つ、またはそれより多くを解決することができる。
【図面の簡単な説明】
【００２６】
【図１】燃料電池装置全体内の多種のコンポーネントの概略図である。
【図２】保水容器の適例の概略図である。
【図３】逆流防止バルブの適例の切開斜視図である。
【図４ａ】図３の逆流防止バルブの運転を概略的に示す。
【図４ｂ】図３の逆流防止バルブの運転を概略的に示す。
【図５ａ】陰極出口の流れの液体分離の２つの選択的な構成を概略的に示す。
【図５ｂ】陰極出口の流れの液体分離の２つの選択的な構成を概略的に示す。
【発明を実施するための形態】
【００２７】
発明は、上記の添付図面を参照して、例示によってのみ述べられる。
【００２８】
図１は、燃料電池スタック１１０と他の付随するコンポーネントとを含む燃料電池装置１００の適例の概略図である。燃料電池スタック１１０は、これを通る陰極流路を有しており、その陰極流路は空気流入口１２４を含んでおり、空気流入口１２４は、空気流入路（an air inlet line）１２３へと至り、陰極空気流入口１２６においてスタックの中へと導かれる。燃料電池スタック１１０内の内部陰極部（an internal cathode volume）（図示せず）を通った後、陰極流路は、燃料電池スタック１１０を出て陰極出口流路（the cathode exit line）１２１に入り、陰極排出路（the cathode exhaust line）１２２と排出閉塞バルブ１２０を通る。通常運転の間、排出閉塞バルブ１２０は、部分的に、または全体的に開放される。熱交換器１３０、それに付随する冷却ファン１３９、水分離器１３１などの様々なコンポーネントが、陰極流路の陰極出口流路１２１及び排出路１２２に接続されるか、もしくはそれらの一部をなしている。また、温度センサＴＸ１，ＴＸ２，ＴＸ３，ＴＸ５と圧力センサＰＸ２，ＰＸ３もあり、陰極流路の流入路１２３及び出口流路１２１を監視するように適当な場所において接続されている。
【００２９】
本明細書中の「陰極システム」という表現は、燃料電池スタック内の陰極部（the cathode volume）に付随する燃料電池装置１００の当該部分を網羅することを意図している。これらは、様々な入口、出口、液体と気体の両方のための再循環路及び排出路などの、陰極部と連通する（fluid communication）コンポーネントだけではなく、入口、出口、内部流路、水分配構造などの燃料電池の様々な内部コンポーネントを含む。「陰極流路」の用語は、空気流入口１２４から空気圧縮装置１３３、流入路１２３、燃料電池スタック１１０の陰極部、陰極出口流路１２１を通る流体流路を含む陰極システムの一組を網羅することを意図している。「陽極システム」及び「陽極流路」の用語は、陽極部（anode volume）に付随する燃料電池装置１００の様々なコンポーネントを参照して、同様に解釈される。
【００３０】
空気圧縮装置１３３は、陰極空気流入路１２３に接続され、圧縮された空気を陰極流路に供給する。空気流入口熱交換器１３４、流量計（a flow meter）１３５、１つ、またはそれより多くのエアフィルタ１３６，１３７、空気加熱器１３８などの他のコンポーネントが、空気流入口１２４と燃料電池スタック１１０の間の陰極流入路１２３に存在してもよい。空気流入口熱交換器１３４は、冷却路１４１、三方向バルブ１４２、温度センサＴＸ７と組み合わされて用いられ、燃料電池装置１００の運転中に、冷却路１４１からの冷却剤とともに、空気圧縮装置１３３からの空気を予備加熱する。冷却路１４１は、空気流入口熱交換器１３４を通り抜け、圧縮装置１３３の後段の空気流から熱を抜き出すように構成された独立の冷却回路を形成している。冷却路１４１は、装置１００の始動中に陰極空気流入路１２３中の入口側空気流から熱が奪われることを避けるために、好ましくは、燃料電池スタック１１０が通常運転温度に到達した後に運転されるのがよい。路１４１の冷却剤は、バルブ１４２の使用を通じて迂回させることができ、冷却剤を熱交換器１３４に送出するか否かを制御することができる。冷却路１４１は、陰極システムへ供給される水から独立しているから、高純度の水の要求は同じではない。したがって、冷却路１４１において使用される冷却剤は、使用される冷却剤の氷点を下げるためのグリコールなどの添加物を含んでもよい。
【００３１】
燃料は、水素ガスの形態において典型的には、減圧バルブ１５１と、通常は閉塞されるソレノイド作動バルブの形態が好適な作動バルブ１５２とを介して、燃料電池装置に入る。燃料供給源１５０は、水素ガスの形態では、典型的には燃料電池装置から離れて配置される。例えば、車両の後部に面する加圧タンクの形態である。さらなるソレノイド作動バルブ１５３と減圧バルブ１５４が、燃料源１５０と燃料電池スタック１１０の陽極の入口１５６の間の陽極流路の燃料流入路１５５において、燃料電池スタック１１０のより近くに設けられていてもよい。したがって、２つの別々のバルブのセットが、陽極の入口１５６に連結して設けられている。１つのセット１５１，１５２はタンクの近くにあり、他方のセット１５３，１５４は燃料電池スタック１１０のより近くにあり、これらの間には中間加圧燃料流路１１９がある。減圧バルブ１５４は、乾燥した燃料ガスの圧力を、燃料電池スタック１１０への導入に適したレベルに制限する。減圧バルブ１５４は、予め設定された圧力設定を適用した受動装置であることが好ましいが、能動的に制御された装置であってもよい。燃料加熱器１４５は、選択的に設けられ、例えば、図１に示されるように、バルブ１５３の手前の加圧燃料流路１１９にあってもよいし、もしくは、これに代えて、減圧バルブ１５４の前段、または後段の燃料流入路１５５にあってもよい。
【００３２】
さらなる作動バルブ１６１が、陽極出口流路１６５にある。各作動バルブ１５２，１５３，１６１は、要求に従ってバルブの霜取りを行うために局所的な加熱要素を設けてもよいが、ソレノイドを通る電流によるバルブ１５２，１５３，１６１の作動によって、ある程度の加熱は得られる。作動バルブ１５２，１５３，１６１は、それぞれ、フェイルセーフ（fail-safe）となるように構成されていると好適である。すなわち、バルブは、ソレノイドを電流が流れることによって作動したときのみに開放される。
【００３３】
陽極流路内の燃料の圧力を監視して、低減するために、圧力センサＰＸ１、及び／または圧力軽減バルブ１５７を設けてもよい。圧力軽減バルブ１５７は、陽極流路内の圧力が安全な運転レベルを超えたときに、開放にセットされて、圧力軽減排出路１５８を通じて陽極流路から燃料を排出すると好適である。
【００３４】
さらなる手動操作可能なバルブ１６２が陽極の出口流路１６５にあってもよい。このバルブ１６２は、例えば、陽極流路の減圧を確保する動作中に使用される。燃料電池スタック１１０の陽極流路内の水集合体（water build-up）は、例えば、陰極側からＰＥＭを通した水分の拡散の結果として生ずる。その結果、排出路１６４に存在する水を分離するために、陽極排水分離器１６３を陽極排出路１６４に設けてもよい。この水は、排出されるか、選択的に再循環させることもできる。燃料電池スタック１１０の運転中、バルブ１６１は、典型的には閉じられたままであり、陽極流路から水集合体を排出するために断続的に開放されるのみである。
【００３５】
陰極注水口１２７は燃料電池スタック１１０に設けられており、注水口１２７は陰極注水路１２５と接続されている。陰極注水路１２５は、その長さの一部、または全部にわたって加熱されるようにしてもよく、保水容器１４０（a water containment vessel）と陰極注水口１２７の間を結ぶ。路１２５の特定部分を加熱する加熱器１２９を設けて、注水路１２５を通って陰極注水口１２７に向かう水を加熱してもよい。運転中の路１２５中の背圧を監視するために、さらなる圧力センサＰＸ４を陰極注水路１２５に設けてもよい。
【００３６】
陰極出口流路１２１からの水は、水帰還路１２８を通して、保水容器１４０に向かって水ポンプ１３２を用いてくみ出される。保水容器１４０の詳細は、図２を参照して後述する。水ポンプ１３２は、選択的に加熱器１４３を備えてもよい。過剰な水は、オーバーフロー流路（overflow line）１４４を通って保水容器１４０外へと、燃料電池装置１００から排水される。
【００３７】
図２は、図１の保水容器１４０の概略断面図である。容器１４０は、断熱壁（a thermally insulating wall）２１０と蓋体（a lid）２１１とを含み、蓋体２１１も断熱されている。容器１４０の壁２１０は、二重壁構造とし、その２つの壁の間に真空、または、空気や延伸ポリスチレンなどの他の断熱層を有すると好適である。容器２１０の内表面２１５を、ステンレス鋼などの耐腐食性を有する材質から作り、容器内部の水２１２の汚濁を防止するとよい。
【００３８】
蓋体２１１の目的は、容器１４０内に収容された様々な要素との接続を可能とする一方で、断熱を良好な程度に維持することである。典型的には、蓋体２１１は、追加の断熱気泡層（an additional layer of insulating foam）を有するガラス強化ナイロンにより製造される。路１２５，１４４，１２８が通る蓋体中の出入口は、装置が停止するときに残った水を容器の中へと戻すように構成されるとよい。これには、水の雫がパイプの内孔（the internal bore）に広がって路内につまることのないような、適度な直径のパイプの使用が要件となる。蓋体２１１を通り抜けるパイプが急カーブを含まないように、蓋体内には、付属物を使用しないのが好適である。したがって、一般的な見地からして、保水容器１４０と陰極注水口１２７を結ぶ注水路１２５と、陰極出口流路１２１と保水容器１４０の間を結ぶ排出路１２１，１２８との両方が、陰極システムから水を排出した後で水の雫が穴に広がらないような内孔を有する配管を含む。
【００３９】
温度自動調節式加熱要素２３６は、容器１４０内の水２１２の温度を氷点より高く維持するために設けられている。水位センサ２３３は、容器内の水２１２の水位を示す信号を出力する。加熱器２３７は、水２１２が凍結している場合に、これをより迅速に加熱して解凍するために、温度自動調節式加熱要素２３６に追加して設けられている。水の相を固体から液体へと変化させるエネルギの必要性のため、この加熱器２３７は、典型的には温度自動調節式加熱要素２３６より高い定格電力、例えば１８０（Ｗ）かそれより大きいものとする。温度自動調節式加熱器２３６は、確実に、容器１４０内の水２１２の温度が設定ポイントより高く維持されるように構成されている。この設定ポイントは、水を凍結させないように、典型的には５℃とされる。温度自動調節式加熱器２３６は、１２（Ｖ）のバッテリ供給により動作し、規定された期間で運転するように設定されてもよい。そのため、この期間中、容器内の水を液相とすることを保証することができる。サブゼロ周囲温度（at sub-zero ambient temperature）における長期間では、温度自動調節式加熱器２３６は、バッテリの節電のために機能停止される。そして、水２１２は凍結し、高パワー加熱器２３７を使って解凍する必要が生ずる。温度自動調節式加熱器は、典型的には、最大熱出力が、容器からの最大定格損失（the maximum rated losses ）より少し大きくなるような定格電力とする。典型的な定格電力は、２〜４（Ｗ）の範囲内にある。
【００４０】
温度センサＴＸ４は、好適には水中のサーミスターを含み、容器１４０内の水の温度を監視できるように取り付けられている。
【００４１】
オーバーフロー流路（overflow line）１４４は、容器内の水の水位が予め設定された量を超えると、過剰な水を保水容器１４０から排出するように設けられている。
【００４２】
水帰還路１２８からの水は、フィルタ２３４を通って容器１４０に入る。ポンプ２３０，２３１，２４０は、さらなるフィルタ２１４と、逆流防止バルブ２１３を通して、容器１４０から陰極注水路１２５へと水２１２を送る。流量計（a flow meter）２３５は、陰極注水路１２５を通る水量を監視するように構成されている。
【００４３】
ポンプは、モータ部分２３１を容器１４０の容積外に位置させて、それによって容器内の水２１２と直接的に接触しないようにするとよい。モータ２３１は、モータ２３１とポンプヘッド２３０の間の軸２４０によりポンプヘッド２３０を駆動することができる。ポンプヘッドは、少なくとも入口と、出口と、羽根車とを含み、氷に覆われた後、いったん、水が解凍されれば、ポンプが再度運転可能となるように構成されるとよい。モータ２３１は、サブゼロ温度での運転について見積もるとよい。
【００４４】
ポンプヘッド２３０は、容器１４０内の水２１２に浸るように位置している。これは、とりわけ、水２１２が停止後に魔法瓶（登録商標）（flask）内に保持されるとき、停止中にポンプヘッド２３０を浄化する、もしくは、始動中に加熱する必要性がないという利点がある。ポンプヘッド２３０は、小さな熱質量を有するように構成するとよい。ポンプヘッド２３０内の氷は、周辺の水から、その解凍時に伝導する熱を介して解凍される。また、ポンプヘッド２３０は、氷の形成による膨張を許容するように構成するとよい。これにより、ポンプヘッド２３０は、解凍されると、その運転に影響を与えずに元の形状に戻る。
【００４５】
逆流防止バルブ２１３は、ポンプが運転可能であり、流れの方向においてバルブに減圧が起きると、水をポンプヘッド２３０から陰極注水路１２５を通して陰極注水口１２７に向かって流すように構成されている。しかしながら、ポンプが停止して、陰極注水路１２５の圧力が増加すると、バルブ２１３によって、水が浄化口（a purge port）２３８を通って容器１４０の中へと戻ることができる。
【００４６】
逆流防止バルブ２１３の目的は、水を燃料電池スタック１１０から容器１４０の中へと噴出させて戻し、装置１００の停止中に路を接続することである。陰極排出バルブ１２０を閉塞することにより、燃料電池スタック１１０内の水を、強制的に、空気圧縮装置１３３から陰極注水口１２７を通じてスタック１１０外へ押し戻し、注水路１２５を通って保水容器１４０へと向かう圧力下におくことができる。しかしながら、ギアポンプ（a gear pump）が容器に使用されていると、逆流防止バルブ２１３がなければ、ポンプヘッド２３０を通じて水を押し戻すために必要な圧力によって水が流れることはない。したがって、逆流防止バルブ２１３は、通常運転において、それを通して、水をポンプから燃料電池スタック１１０へと流すことができるように構成されている。小さな背圧（例えば、３００（ｍＢａｒ．ｇ）の範囲内）を前提とすると、ポンプヘッド２３０が運転されていないとき、ダイヤフラム（a diaphragm）が開いて、水は、浄化口２３８を通じて魔法瓶（登録商標）（the flask）の中へと戻っていく。
【００４７】
図３は、逆流防止バルブ２１３の実施例を切開形式で示している。通常運転において、水は、保水容器１４０から逆流防止バルブ２１３を通って、矢印３０１により示される方向へと流れる。水は、第１の供給口３１４を通り、逆流止め弁（a non-return valve）３１６を通り、第２の供給口３２０を通ってバルブ２１３から出て、陰極注水路１２５へと流れる。第１の供給口３１４の圧力は、接続路３１３と移送路３１２とを介して、封止弁（a sealing valve）により封止された空洞部３１１へと伝達する。封止弁は、例えばダイヤフラムの形態であり、表面カバー３２３により閉じられている。圧力により、ダイヤフラム３２１の封止面３１７はバイパス路３１８の表面に押し当てられ、これにより、第２の供給口３２０とダイヤフラム３２１の背面の低圧空洞部３１５の間で流体が流れないようにする。
【００４８】
いったん、保水容器ポンプ２３０の動作が停止すると、燃料電池スタック１１０の陰極部の圧力増加によって、第１の供給口３１４では減圧が起き、第２の供給口３２０では増圧が起き、これによって逆流止め弁３１６は閉塞される。第２の供給口における圧力増加によって、好適にはゴムなどの弾性部材からなるダイヤフラム３２１は、撓み、そしてバイパス路３１８と低圧空洞部３１５の間の流路を開放する。したがって、水は、第２の供給口３２０からバイパス路３１８を通り、浄化路３２２を通り、浄化口２３８を通ってバルブ２１３の外へと流れることができる。逆方向の流れの全体的な通り道は、矢印３０２により示されている。
【００４９】
逆流防止バルブの構成により、水は、燃料電池スタックの陰極部と陰極注水路とから排出されて、容器１４０内のポンプヘッド２３０は水により呼び水をさされたままとなる。容器内の水２１２が凍結していないとすれば、ポンプヘッド２３０は、燃料電池スタック１１０の陰極部へと注水するために、すぐに送水を開始する用意が整った状態にある。
【００５０】
図４ａと図４ｂは、逆流防止バルブ２１３により可能な２つの異なる運転モードの概略を示している。図４ａには浄化運転が示されており、ここでは、燃料電池スタックからの低圧の空気が第２の供給口３２０を通ってバルブ２１３に入り、そして第１の供給口３１４へは流れない。低圧空気によりダイヤフラム３２１ゆがむことによって、流れは、バイパス路３１８を通り、保水容器１４０の貯水槽への配送のために浄化口２３８を通ってバルブの外へと導かれる。逆流止め弁３１６は、流れが第１の供給口３１４へと抜けないようにする。
【００５１】
図４ｂは、逆流防止バルブ２１３の配水運転が示されており、ここでは、保水容器１４０内の貯水槽から送出された高圧の水が第１の供給口３１４を通ってバルブ２１３に入る。圧力は、接続路３１３を介して高圧空洞部３１１へと伝わり、ダイヤフラム３２１をバイパス路３１８に対して閉塞位置に維持する。水の流れは、逆流止め弁３１６を通り抜けて、第２の供給口３２０を介して逆流防止バルブ２１３の外へ出る。浄化口２３８を抜ける流れはない。
【００５２】
図５ａと図５ｂは、陰極出口流路と排出路と排水路（water ejection lines）の２つの選択的な配置を概略的に示している。図５ａでは、水分離器１３１は、まず、陰極出口流路１２１上に接続され、そして熱交換器１３０とその前段で直列に接続されており、２つの排水路１２８ａ，１２８ｂは、ポンプ１３２ａ，１３２ｂを介して容器１４０へと水を送るために用いられる。図５ｂでは、水分離器１３１は、熱交換器１３０とその後段で直列に接続されており、単一のポンプ１３２は、水帰還路１２８を通じて、水を容器１４０へと送り出すために用いられる。
【００５３】
図５ａの構成において、陰極出口の流れは、陰極出口流路１２１を通り、サイクロン水分離器１３１へと向かう。サイクロン水分離器１３１は、飽和した空気を熱交換器１３０へと向かわせる前に液体成分を取り除く。熱交換器１３０は、飽和した空気流を冷却して、その結果、液相に変化する混入水（the entrained water）の均衡（a proportion）がはかられる。２つのポンプ１３２ａ，１３２ｂは、復水（recovered water）を容器１４０へと移送するために用いられ、一方のポンプ１３２ａは水帰還路１２８ａを介して分離器１３１の基部（the base）と接続されており、他方１３２ｂは、水帰還路１２８ｂを介して熱交換器１３０の出口側マニホルド箱体（exit manifold box）と接続されている。通常の燃料電池の運転中、可変閉塞バルブ１２０は開放状態のままとなる。しかしながら、燃料電池システムの停止中、このバルブは陰極流路に背圧を加えるために閉塞される。この場合、圧縮装置１３３（もしくは、定められた流速設定ポイントにしたがって空気を燃料電池に供給する他の装置）は、一定の空気の流速を維持するために、顕著に動作する。分離器１３１は圧力軽減バルブ（図示せず）を含み、それは、この背圧をかけた停止期間中、開放されて、水浄化路５１０を通じて水分離器１３１から（典型的には雰囲気へと）水を排出する。装置の停止時に陰極流路に背圧を加えるに先立って、ポンプ１３２ａは、典型的に、分離器１３１からほとんどの水をなくすために数秒間動作する。
【００５４】
図５ｂの構成において、運転は、サイクロン分離器１３１が熱交換器１３０の後段に位置していることを除けば、図５ａのものと類似する。そのため、陰極出口の流れの液体要素は熱交換器１３０を通る。さらに、復水を容器１４０に戻すためには、１つだけのポンプ１３２が必要となる。この構成の利点の１つは、熱交換器１３０への入口が、その底部からの道の一部であるから、停止後に熱交換器１３０内に残った水が落ちて、停止後に熱交換器１３０の低位置部分を満たすことである。したがって、熱交換器１３０がサブゼロ温度に曝された場合、この水は凍結する。しかしながら、それでも陰極流路を通って、熱交換器の残った部分を通る流れは可能であり、これによって、低位置部分内の凍結した水は加熱されて解凍される。
【００５５】
各場合の浄化口５１０により、サイクロン分離器は、完全に乾燥され、引き続いて低温での貯水が可能となる。
【００５６】
好ましくは、サイクロン分離器１３１は、少量の液相水が分離器に入り、分離機１３１が０℃より低いとき、液相水が凍結しないように低い熱慣性であるとよい。
【００５７】
選択的に、圧力軽減バルブは、移送ポンプ１３２，１３２ａ，１３２ｂを必要としない程度にまで装置の背圧を増加させるために用いられるとよい。しかしながら、この場合、サイクロン軽減バルブ（the cyclonic relief valve）と浄化口５１０は適合しない。これは、確実に、陰極出口水路１２１内の内圧によって、強制的に水を排水路を通じて保水容器１４０に向かわせるためである。移送ポンプ１３２が適合しなければ、確実に、陰極出口流路から排出された水が単一の排水路１２８を通るためには、図５ｂに示された構成がより好ましい。
【００５８】
燃料電池装置１００の運転中（図１及び図２を参照）、容器１４０からの水は、陰極注水路１２５と陰極注水口１２７とを介し、陰極流路を通して送られる。燃料電池スタック１１０内の陰極部を通り抜けた後、水は、陰極出口水路１２１を介してスタック１１０の外へ流れて、熱交換器１３０へと入る。排気ガスと復水の混合物は、水分離器１３１を通る。そして、復水は、水帰還路１２８を通って保水容器１４０に入る。過剰な水は、オーバーフロー水路１４４を通って排出される。排気ガスは、排出閉塞バルブ１２０を通って排出され、排出閉塞バルブ１２０は、陰極流路内の圧力を制御するために、少なくとも部分的に開放されたままにされる。
【００５９】
図１を参照すると、燃料ガスは、陽極の入口に供給されて、燃料電池スタック１１０内の陽極部（the anode volume）（図示せず）に入る。バルブ１５３，１６１は、陽極部内の所望の圧力を維持するために操作される。陽極の出口１５９に接続された手動バルブ１６２は、閉じられたままとなる。選択的に、陽極の排出流から排出された水は、さらなる水分離器１６３を用いて、液相と気相とに分離される。
【００６０】
燃料電池装置が停止すると、まず、燃料電池スタック１１０への燃料供給は、燃料供給路１５５上のソレノイド作動バルブ１５３が閉じられることにより停止する。そして、陰極排出路１２２上の閉塞バルブ１２０は閉じられ、一方、空気圧縮装置１３３は運転を継続する。実際には、閉塞バルブ１２０が閉じられる前に、空気を陰極流路に通す時間が必要となり得る。そして、陰極流路内の圧力が上昇する。排水路ポンプ１３２は、もし存在すれば、水が容器１４０へと流れ続けるように、閉塞バルブが閉じられた後、当分、運転を継続するとよい。容器ポンプ２３０は動作を停止し、その結果、陰極注水路１２５への水の供給は停止する。
【００６１】
停止中、陽極流路内の水を排出するため、開いた陽極出口バルブ１６１に強制的に水を通すことによって、陽極流路の短い浄化運転を行ってもよく、その後、燃料電池スタック１１０内の陽極部の減圧がなされる。
【００６２】
陰極流路に空気を流し込むことによって、強制的に残った水を、燃料電池スタック１１０内の陰極部から出して、陰極出口流路１２１を通し、そして、熱交換器１３０を通して水分離器１３１へと流す。ポンプ１３２により、水は、分離器１３１から水帰還路１２８を通り、保水容器１４０へと送り出される。閉塞バルブ１２０が閉じたとき、陰極の空気圧が上昇して、強制的に水を、陰極注水口１２７を通じて燃料電池スタック１１０内の陰極部から出し、そして、陰極注水路１２５と逆流防止バルブ２１３の浄化口２３８とを通して、保水容器１４０に向けて流す。
【００６３】
陰極流路から保水容器１４０へと水を浄化する能力によって、水は、内部の特徴部と水分配路へと落とし込むこともあるが、取り除かれる。その結果、自動車のアプリケーション向けの燃料電池スタックの典型的な大きさとしては、およそ３０（ｍｌ）の水が陰極流路から除去される。窒素浄化供給（a nitrogen purge feed）よりむしろ空気圧縮装置１３３の使用によって、必要なコンポーネント数を減らし、燃料電池スタックの過度の乾燥を避けることができる。これにより、スタックの膜を、後続する始動運転に備えて、より適した状態に保つことができる。停止時の空気圧縮装置の定時間運転は、サブゼロ条件（sub-zero conditions）からの逆効果を防止するための十分な水の除去と、膜の乾燥との間の均衡が得られるように、最適化される。典型的な燃料電池装置では、排出バルブ１２０を閉じた後、空気圧縮装置を約１〜２分運転してもよい。水素ガスも、陽極流路から過剰な水を浄化するために用いられる。
【００６４】
他の実施形態は、添付の請求項により定められる発明の範囲内にあるものとする。
【図１】
0005490702.tif 000002
【図２】
0005490702.tif 000003
【図３】
0005490702.tif 000004
【図４ａ】
0005490702.tif 000005
【図４ｂ】
0005490702.tif 000006
【図５ａ】
0005490702.tif 000007
【図５ｂ】
0005490702.tif 000008